(57)【要約】本発明はカードボードにより形成された包装容器（１）に関し、スリーブ（２）およびインサート（３）を含み、スリーブ（２）はスリーブの内側に位置する少なくとも一つの掛けタブ（１０）を有しかつ少なくとも一つの突起（１０ｂ）を有し、掛けタブ（１０）はスリーブ（２）の上壁（２ａ）と所定角度を形成する。少なくとも一つの係止タブ（１１）がインサート（３）上に形成され、掛けタブ（１０）と上壁（２ａ）間に少なくとも一部が挿入できるように配置されている。スリーブ（２）は少なくとも一つの操作タブ（６）を有しかつ操作タブ（６）に隣接して少なくとも一つの切欠き（７）を有し、操作タブ（６）は使用者による係止タブ（１１）に対する押圧を可能にするように配置され、開口部（４）に向かう摺動方向（Ｓ）へのインサート（３）の移動を可能にする。
2004513035.tif 000002
【特許請求の範囲】
【請求項１】
上壁（２ａ）、下壁（２ｂ）、側壁、および後壁（２ｃ）を有する実質的平行六面体のスリーブ（２）、ならびに摺動方向（Ｓ）において前記スリーブ（２）の開口部（４）に対して挿入引出し自在のインサートブランク（３’）から形成されるインサート（３）を含むカードボードによる包装容器（１）において、
前記スリーブ（２）は前記上壁（２ａ）のところでそのスリーブの内側に少なくとも一つの掛けタブ（１０）を有し、前記掛けタブ（１０）はその掛けタブの平面に対して実質的直角であって前記上壁（２ａ）に向かう少なくとも一つの突起（１０ｂ）を有し、前記少なくとも一つの突起（１０ｂ）は前記掛けタブ（１０）が前記上壁（２ａ）と所定角度を形成するように前記上壁（２ａ）を付勢し、
前記掛けタブ（１０）の各々に対して係止タブ（１１）が設けられ、前記係止タブ（１１）は前記インサートブランク（３’）の一部を折り曲げることにより形成されかつ自由エッジ（１１ａ）を有し、前記自由エッジ（１１ａ）は前記係止タブ（１１）が前記インサートに連結されている領域に対して前記インサート（３）の挿入位置にあり、かつ前記上壁（２ａ）に近接して位置決めされる前記係止タブ（１１）の係止位置にあり、前記係止タブ（１１）は前記掛けタブ（１０）との係合により前記スリーブ（１）から前記インサート（３）が移動することを阻止するように配置され、
前記係止タブ（１１）は、前記インサート（３）の摺動方向（Ｓ）において突出し、前記インサート（３）の摺動方向（Ｓ）において突出した掛けタブ（１０）の伸長部の領域の外側に位置し、かつ前記インサート（３）の摺動方向（Ｓ）において前記インサート（３）の前記開口部（４）へ向かう移動が可能となるクリアランス位置を採るように配置され、かつ
前記係止タブ（１１）は撓み作用により前記係止位置へ向けて付勢されていることを特徴とする、包装容器。
【請求項２】
前記自由エッジ（１１ａ）は前記係止タブ（１１）が前記インサート（３）に連結されている領域に対して前記インサート（３）の挿入位置にあり、かつ前記係止タブ（１１）の係止位置において前記スリーブ（２）の開口部（４）に近接して位置決めされている、請求項１の包装容器。
【請求項３】
前記係止タブ（１１）の各々に対して操作タブ（６）が設けられていて、前記操作タブ（６）は、前記スリーブの内側において前記上壁（２ａ）のところで前記掛けタブ（１０）と前記後壁（２ｃ）との間に位置し、前記インサートの挿入位置において前記上壁（２ａ）と前記係止タブ（１１）との間に位置決めされ、かつ前記スリーブ（２）に連結されている一端と自由端との間で前記上壁（２ａ）と実質的平行に伸長し、前記スリーブ（２）は前記操作タブ（６）の各々に対して使用者による操作タブ（６）へのアクセスを可能にするために前記操作タブ（６）に隣接する前記上壁（２ａ）内に切欠き（７）を有し、かつ前記操作タブ（６）は前記係止タブ（１１）に付勢されるように配置されている、請求項１または２の包装容器。
【請求項４】
前記係止タブ（１１）またはその一部は前記掛けタブ（１０）と前記上壁（２ａ）との間に挿入できるように配置されている、請求項１〜３のいずれか１の包装容器。
【請求項５】
前記掛けタブ（１０）は前記スリーブ（２）に連結されている一端と自由端間で、事実上、摺動方向（Ｓ）を横切っている、請求項１〜４のいずれか１の包装容器。
【請求項６】
前記掛けタブ（１０）は前記後壁（２ｃ）に対面するコンタクトエッジ（１０ａ）を有し、前記係止タブ（１１）は自由エッジ（１１ａ）上に切欠き（１１ｂ）を有しかつ前記切欠き（１１ｂ）の一側に位置する係合タブ（１１ｃ）を有し、前記係合タブ（１１ｃ）は前記掛けタブ（１０）と前記上壁（２ａ）との間に挿入できるように配置され、前記切欠き（１１ｂ）は前記コンタクトエッジ（１０ａ）と接触するように配置されている、請求項１〜５のいずれか１の包装容器。
【請求項７】
前記係止タブ（１１）の各々について折り畳み指示線（１１ｄ）が前記インサートブランク（３’）に設けられ、前記折り畳み指示線（１１ｄ）は前記インサートブランク（３’）を横切る方向と所定角度（α）を形成している、請求項１〜６のいずれか１の包装容器。
【請求項８】
二つの掛けタブ（１０）、二つの係止タブ（１１）、二つの操作タブ（６）および二つの切欠き（７）を含む、請求項１〜７のいずれか１の包装容器。
【請求項９】
前記係止タブ（１１）と係合する二つの固定タブ（２１）を有するブリスタパック（１８）を更に含み、前記ブリスタパック（１８）は前記インサート（３）に対して固定されるようになっている、請求項１〜８のいずれか１の包装容器。
【請求項１０】
前記インサート（３）は内タブ（１６）と底（２２）との間に印刷物を保持するためのスペースを有する、請求項１〜９のいずれか１の包装容器。
【請求項１１】
前記スリーブ（２）は接着剤を塗布した二つのタブ（１２）に接着された二つの結合部を含み、かつ前記インサート（３）は接着結合部を有しない、請求項１〜１０のいずれか１の包装容器。
【請求項１２】
前記インサート（３）はストップタブ（１５）を有し、前記ストップタブ（１５）は、前記インサート（３）が引き出されるときに、前記インサート（３）が前記スリーブ（２）から完全に引き抜かれることを阻止し、前記スリーブ上のスリーブタブ（１４）と係合するように配置されている、請求項１〜１１のいずれか１の包装容器。
【請求項１３】
前記係止タブ（１１）は前記インサートの摺動方向（Ｓ）と事実上平行に折り曲げて前記スリーブ内に配置され、かつ前記スリーブ（２）からの前記インサートの移動を阻止するために、前記係止タブ上のコンタクトエッジ（１１ｅ）が前記掛けタブ（１０）上のコンタクトエッジ（１０ａ）と接触することにより、前記係止タブ（１１）は前記掛けタブ（１０）と係合している、請求項１〜１２のいずれか１の包装容器。
【発明の詳細な説明】
【０００１】
［技術分野］
本発明は特許請求の範囲の請求項１の導入部に記載の包装容器に関する。
【０００２】
［発明の背景］
製品のための包装容器において、その内容物が小さい子供にとって危険である場合には、包装容器は子供の手に入っても子供が開放する危険を小さくすることが望ましい。
【０００３】
ＥＰ００３１５４７Ａ１は、貯蔵部、および貯蔵部上に移動自在の蓋を有する、例えば製薬用の、包装容器を記載する。複数のタブが、貯蔵部と蓋間の相対的移動を阻止する掛け部を形成する。タブは折り畳まれ、その後に蓋が貯蔵部上に押し込まれる。ＥＰ００３１５４７Ａ１の包装容器の欠点は、小さい子供が内容物へアクセスすることに対して適正防止を提供しないことである。その一つの理由は、タブが視認可能であり、そのことが係止解除を容易にすることである。更に、タブが続いて確実に係止位置へ再度折り返されない場合には、包装容器はタブが折り畳まれた後に容易に開放できる。
【０００４】
ＥＰ１００２７４４Ａ１は子供に対する係止システムを有するカードボード包装容器を記載し、この包装容器は外ケースおよび内摺動部を有する。摺動部は、係止システムが解除ボタンを押すことにより機能解除されない場合に、ケースからの引き出しが阻止される。係止システムは、摺動部上のタブがケースの内側のショルダと接触することにより機能する。ショルダは外層に接着された、切欠きを有する内カードボード層により形成される。この構成の欠点は、係止システムが機能するには、内カードボード層の厚みが充分な高さを有することである。従って、係止機能は充分な厚みを有するケース材料の選択に依存する。材料の厚みがあまりに薄い場合には、係止の安全性が危険になる。更に、この構成はショルダが再使用時に磨耗することに通じ、かつ包装容器の複数回の開放後にその機能が不全に通じることにある。
【０００５】
本発明の一つの課題は、例えば製薬等の、包装容器を提供することであり、既知技術による包装容器よりもその内容物が子供のアクセスに対してよりよく保護される包装容器を提供することである。
【０００６】
本発明の他の課題は、例えば製薬等の包装容器であって、反復的開放および閉鎖後に第一開放時と同様に良好に子供のアクセスに対して保護される包装容器を提供することにある。
【０００７】
本発明の他の課題は、例えば製薬等の包装容器であって、既知技術による包装容器よりも製造が容易かつ廉価な包装容器を提供することにある。
【０００８】
［発明の概要］
上記課題は、特許請求の範囲の請求項１に記載の特徴を有する包装容器により達成される。
【０００９】
掛けタブ（ｃａｔｃｈ ｔａｂ）上の突起は前記掛けタブとスリーブの上壁との間に所定角度を形成し、かつ前記掛けタブと相互作用する係止タブの少なくとも一部は、前記掛けタブと前記スリーブの上壁との間に挿入できるように配置されるので、厚みの薄いカードボード材が使用されても安全係止が確保される。更に、反復使用による磨耗に耐える係止が達成される。
【００１０】
本発明による包装容器は、好ましくは、二つの掛けタブ、二つの係止タブ、二つの操作タブおよび二つの切欠きを含み、その結果として、インサートは、二本の指による同時的押圧によって係止タブの係止作用を解除しなければ、スリーブから引き抜くことができない。この利点は、子供が包装容器を開放することを一層困難にすることである。
【００１１】
好適には、前記スリーブは、接着剤を塗布した二つのタブに接着された二つの結合部を含み、かつ前記インサートはそのような接着結合部を有しない。このことは包装容器の製造を容易にすることを意味する。
【００１２】
［詳細な説明］
次に、図面を参照して本発明を詳細に説明する。
【００１３】
図１はタブレット形態の製薬等の製品用の包装容器１を示す。包装容器１はタブレットのためのインサート３を包囲する外スリーブ２で構成される。スリーブ２およびインサート３は折り曲げてカードボードを適宜接着することにより形成される。スリーブ２は上壁２ａ、下壁２ｂ、側壁および後壁２ｃを含む。
【００１４】
インサート３はスリーブ２内の開口部４（図１では隠れている）へ挿入できかつそこから引き出すまたは引き抜くことができる。インサート３の摺動方向は図１において二方向矢印Ｓで示されている。図１にはインサート３が挿入位置にあり、その一部のみが切り込み５のところに見える包装容器１が示されている。インサート３は引き抜き可能なように切り込み５で保持されている。後述する二つのロック手段（ｌｏｃｋｓ）は、スリーブ２内の二つの切欠き７の内側に各々がある二つの操作タブ６の各々の上を二本の指の各々で同時的に押すことによりロック手段を機能解除しなければ、インサート３をスリーブ２から引き出せないことを意味する。選択的に、包装容器１は、一つの切欠き７内の一つの操作タブ上に一本の指で操作できる単一ロックを有するものであってよい。二つの同時押圧作用を必要とする構成の利点は内容物へ子供がアクセスすることに対する安全性の改善にある。切欠き７は、例えば上壁２ａを切断または穿孔することにより、切欠き７と共に形成されるカバーを有してよい。
【００１５】
図２は一部を折り畳んだスリーブを示す。スリーブは図３に示されたスリーブブランク２’を折り畳みかつ接着することにより形成される。図２のスリーブ２は、上壁２ａを、矢印Ｐに示されたように、スリーブブランクの残りの部分上に折り畳むことにより完成される。上壁２ａは接着剤を塗布した二つのタブ１２上に折り曲げられかつ接着により二つのタブに対して固定される。
【００１６】
スリーブ２は二つの掛けタブ１０を有し、掛けタブ１０は、スリーブ２を折り畳んだ状態においてスリーブ２の内側で上壁２ａ側に位置する。各掛けタブ１０は摺動方向Ｓを事実上横切ってスリーブに連結されている一端と自由端間に伸長している。各掛けタブ１０は後壁２ｃに対面するコンタクトエッジ１０ａを有し、かつ掛けタブ１０の平面に対して事実上直角に延びかつスリーブを折り畳んだ状態において上壁２ａへ向かうボス形の突起１０ｂを有する。選択的に、各掛けタブ１０上には二つ以上の突起１０ｂが設けられてよく、また突起１０ｂは隆起として設計されてよく、更には他の適宜形態であってよい。突起１０ｂは、例えばカードボード材をスタンピングすることにより形成されてよい。突起１０ｂは、スリーブの折り畳み状態において、上壁２ａを付勢して掛けタブ１０が上壁２ａと共に所定角度を形成するようになっている。
【００１７】
選択的に、掛けタブ１０はスリーブ２に連結されている一端と自由端との間が摺動方向Ｓへ伸長したものであってよい。
【００１８】
図２および３から理解されるように、スリーブ２は単に二つの接着された結合部を有し、これはスリーブが製造容易であることを意味する。
【００１９】
図４は一部が折り畳まれたインサート３を示す。インサート３は図５に示されたインサートブランク３’から形成される。掛けタブ１０との相互作用のために、二つの係止タブ１１、即ち、ロックタブが設けられ、係止タブ１１は図４に示されたようにインサートブランク３’の一部を折り畳むことにより形成される。各係止タブ１１は切欠き１１ｂが形成された自由エッジ１１ａを有する。係合タブ１１ｃが切欠き１１ｂの一側に設けられる。
【００２０】
図６は係止タブ１１と掛けタブ１０間の係合位置においてスリーブ２内に位置決めされたインサート３を示す。理解を容易にするために、スリーブは開放状態で示され、上壁２ａは折り畳まれていない。ただし、図２を参照して説明したように、上壁２ａは、接着剤を塗布したタブ１２へ取り付けられたときに、突起１０ｂが上壁２ａを付勢することにより、掛けタブ１０を上壁２ａに対して僅かに下方へ傾斜した位置に付かせる作用をする。インサート３の挿入位置、かつ係止タブ１１の係止位置において、自由エッジ１１ａは係止タブ１１がインサート３に連結されている領域との関係でスリーブ２の開口部４および上壁２ａにより接近した位置にある。各係止タブ１１はそれぞれの掛けタブ１０と係合することによってインサート３のスリーブ２からの移動を阻止する。この係合は、係合タブ１１ｃが掛けタブ１０と上壁２ａとの間に挿入し、切欠き１１ｂがコンタクトエッジ１０ａと接触することにより行なわれる。係合タブ１１ｃの障害を受けない挿入は突起１０ｂによる掛けタブ１０と上壁２ａとの間のスペーシングにより確保される。
【００２１】
他の形態として、係止タブ１１には切欠き１１ｂまたは係合タブ１１ｃが形成されず、係止タブ１１の全体、または掛けタブ１０と上壁２ａと間に挿入させるべく意図された自由エッジ１１ａに最も近い係止タブの一部がスリーブ２内にインサート３を係止させるようにすることができる。
【００２２】
図４から理解できるように、各係止タブは、自由エッジ１１ａがインサートの他の部分に対面するように、インサート３の上側に向けて折り曲げられる。図５に示されたように、折り畳み指示線１１ｄがインサートブランク３’の係止タブ１１に設けられるのが好ましい。各折り畳み指示線１１ｄは好適にはインサートブランクを横切る方向に対して角度α、約１８°が適切である。これは、包装容器の組み立て状態において、自由エッジ１１ａが掛けタブ１０のコンタクトエッジ１０ａと所定角度を形成することを意味する。このことは、係止タブ１１上の切欠き１１ｂがコンタクトエッジ１０ａと接触することを確実にする。その理由は、係合タブが掛けタブ１０上に案内されるときに、係合タブ１１ｃと反対側にありかつ切欠きの外側に位置する自由エッジ１１ａの側が切欠き１１ｂの前で僅かに移動しかつ次いで掛けタブ１０の下に案内されるからである。
【００２３】
図４および５から理解されるように、インサート３は接着結合部を有しない。このことは製造が容易であることを意味する。
【００２４】
図２は、スリーブの折り畳み状態において、操作タブ６がスリーブ２の内側になり掛けタブ１０と後壁２ｃとの間で上壁２ａのところに位置することを示す。インサート３を挿入した状態において、各操作タブ６は上壁２ａとそれぞれの係止タブ１１との間に位置し、操作タブ６は上壁２ａに事実上平行に延在する。スリーブ２に設けられた切欠き７は、スリーブの折り畳み状態において、それぞれの操作タブ６に隣接し、各操作タブ６はそれぞれの切欠き７から指でそれぞれの係止タブ１１を押すことができるように配置され、係止タブはクリアランス位置に付く。このクリアランス位置において、インサート３の摺動方向に見た係止タブ１１は、インサート３の摺動方向Ｓに見た掛けタブ１０の伸長領域の外側に位置する。これはインサート３の摺動方向Ｓにおけるスリーブ２からの引き抜きを可能にする。
【００２５】
下へ押すことにより、係止タブ１１は撓み、圧力を解除すると、係止位置へ復帰する。
【００２６】
図２および３は、下壁２ｂの内側に向けて折り畳まれかつ最終（完成）スリーブ２の開口部４に表れる、スリーブ２上のスリーブタブ１４を示す。図４および５はインサート３上のストップタブ１５を示し、ストップタブ１５はインサート３の下側へ向けて折り畳まれる。スリーブタブ１４およびストップタブ１５は、ストップタブ１５がスリーブタブ１４と下壁２ｂとの間へ移動しかつこのようにしてスリーブタブと係合することによって、スリーブ２からインサート３が完全に引き出されることを阻止することが意図されている。
【００２７】
図５は、インサートが、好ましくは、図７および８に示されたブリスタパック１８と相互作用するための開口部１７が形成された内タブ１６を含むことを示す。既知技術によれば、ブリスタパック１８はフォイルに取り付けられた薄いプラスチック材で形成されたバブル１９を含み、バブル１９は、例えばタブレットまたはカプセルの形態の製薬ユニット２０等を保存するために使用される。
【００２８】
ブリスタパック１８は、好適には、図９に示されたように係止タブ１１と相互作用するための、二つの固定タブ２１を含む。固定タブはブリスタパック１８を穿孔することにより形成できる。ブリスタパック１８は、上方を向いたバブル１９と共にインサート３内に位置決めされることが意図され、固定タブ２１は係止タブ１１と係合するように案内されて、ブリスタパック１８がインサート３に対して固定されるようにする。上述のごとく、図５に示されたインサートブランク３’内の折り畳み指示線１１ｄはインサートブランクを横切る方向に対して角度αを形成する。これは包装容器の組立てを単純化する。この関係で、ブリスタパック１８は、係止タブ１１に隣接する固定タブ２１と共にインサートブランク３’上に位置決めされる。次に、係止タブ１１は折り曲げられ、角度αに起因して固定タブ２１が係止タブ１１により僅かに折り曲げられ、続いて摺動を停止し、かつ初期位置へ復帰させる。この構成は、ブリスタパック１８が機械的装置によりインサート３に容易に配置できることを意味する。
【００２９】
次に図４および５を参照して説明する。インサート３は底２２および上タブ２３を含む。インサート３がスリーブ２へ挿入されるときに、内タブ１６は底２２上に折り畳まれ、かつ上タブ２３は内タブ１６上に折り畳まれる。インサートが引き出されてストップタブ１５がスリーブタブ１４と係合するときに、上タブ２３はバブル１９が露出されるように折り畳まれる。図９参照。図５においてインサートの底２２上に破線で示された折り畳み指示線は、製薬ユニット２０が内タブ１６内の開口部１７から下方へ押し出され、インサート３がスリーブタブ１４およびストップタブ１５によりスリーブ内に保持されるように、インサートを引き出した状態において底２２の一部および上タブ２４は下に折り曲げられてよいことを意味する。
【００３０】
係止タブ１１の配向は、インサート３のスリーブ２への再挿入時に、係止タブ１１が掛けタブ１０と接触した後に掛けタブ１０を通る運動を促進するために、下壁２ｂに向けて傾斜できる。
【００３１】
図４は、インサートが内タブ１６と底２２との間に、印刷物を収納できるスペースを有することを示す。これは、機械的包装を容易にする。
【００３２】
カードボードの他の形態として、プラスチック等の適宜材料が本発明による包装容器に使用できる。
【００３３】
他の実施形態において、包装容器は操作タブ６を伴うことなく形成でき、係止タブの各々はスリーブ内の開口部からのアクセスが可能でありかつ使用者が直接接触することにより係止位置へ運ぶことが可能である。このように、包装容器の構造は単純化されているので製造を簡単にしかつ費用を廉価にする。
【００３４】
図１０は本発明の他の実施形態による包装容器１を示す。上述の包装容器と同様に、この包装容器は、更に詳細に後述するブリスタパック１８と相互作用するように構成されたスリーブ２およびインサート３を含む。
【００３５】
図１０のスリーブは図１〜６に示した形態の一部を形成するスリーブと同一タイプであってよい。スリーブおよびそのブランクは図２および３に示されている。
【００３６】
図１１は図１０のインサート用の製造ブランク３’を示す。スリーブ上の掛けタブ１０と相互作用する二つの係止タブ１１が設けられ、二つの係止タブ１１はインサートブランク３’の一部を折り畳むことにより形成される。矢印Ｉは、折り畳んだ状態においてインサートがスリーブへ挿入されるときの挿入方向を示す。
【００３７】
係止タブが配置される領域２５は、インサートの他の部分に向けて指示線２６を中心に折り畳むことが意図されている。折り畳み指示線１１ｄが係止タブ１１のためにインサートブランク３’に設けられている。各折り畳み指示線１１ｄはインサートの挿入方向Ｉと事実上平行である。
【００３８】
図１２から理解されるように、係止タブ１１は折り畳み指示線１１ｄを中心に折り畳むことが意図されている。各係止タブ上のコンタクトエッジ１１ｅは、スリーブ２上の掛けタブ１０上のコンタクトエッジ１０ａ（図２参照）と接触することが意図されている。図１３はどのようにして接触するかを図解的に示す。係止タブが係止位置にあってスリーブ２からのインサート３の引き抜きが試みられるときに、引き抜きは、係止タブ１１のコンタクトエッジ１１ｅが掛けタブ１０のコンタクトエッジ１０ａと接触することによって、矢印Ｕにより示された方向において阻止される。
【００３９】
引き出し方向Ｕと平行に係止タブ１１を折り畳むことは、係止タブの係止方向へインサートを引き抜く試みがなされるときに生じる力が係止タブの面に主として伝達されることを意味し、このことはその力が強力でありかつ例えば子供等の力によって包装容器が開放される危険が小さくなることを意味する。
【００４０】
他の実施形態において、係止タブは、係止タブが設けられた分離領域（図１１）を伴うことなくインサートの他の部分から直接上方へ折り畳まれ、インサートの他の部分に対して折り畳まれる。
【００４１】
図１〜６を参照して説明した図示形態におけると同様に、図１０〜１３に示された形態に関するスリーブは操作タブ６（図２参照）を有してよく、各操作タブ６はインサート３を挿入した状態において上壁２ａと係止タブ１１との間に位置し、操作タブ６は上壁２ａと事実上平行に伸長する。スリーブ２に形成された切欠き７は、スリーブを折り畳んだ状態において、それぞれの操作タブ６に隣接し、各操作タブ６はそれぞれの切欠き７から指でそれぞれの係止タブ１１を押すことができるように配置され、係止タブはクリアランス位置を採る。このクリアランス位置において、インサート３の摺動方向Ｓに見た係止タブ１１は、インサート３の摺動方向Ｓに見た掛けタブ１０の伸長領域の外側に位置し、これはインサート３のスリーブ２からの摺動方向Ｓへの引き抜きを可能にする。
【００４２】
押し下げることにより、係止タブ１１は撓み、圧力から解放されると、係止位置へ復帰する傾向がある。
【００４３】
図１４および１５はブリスタパック１８の他の実施形態を示し、ブリスタパック１８には、タブレット等の製薬を収容するための複数のバブル１９が、ブリスタパック１８を一緒に折り畳み、バブルを相互間に位置決めでき、かつ一緒に折り畳んだブリスタパック１８を相互接触による摩擦によって保持できるように配置される（図１５）。これは自動組立機械内に装備された吸引カップ等いずれかの既知手段による同一物の包装容器内への供給を促進する。
【００４４】
ブリスタパック１８は、好適には、図１２に示されたように係止タブ１１との相互作用のために二つの固定タブ２１を含む。この目的のために、インサート３は図１１に示されたように、係止タブ内に切欠き２７を有する。
【００４５】
図１６〜１８は、本発明による包装容器の他の形態を示す。ブリスタパック等の製品担持ユニット１８（図１６に破線で示されている）が接着、テーピング、スタップリングまたは他の方法によりインサート３上に取り付けられる。図１７に示されたように、情報担持ユニット２８がブリスタパック１８の上部上に位置する。明細書、情報ホルダまたはリーフレットを付けたカードボード紙であってよい情報担持ユニットが、図１０〜１３を参照して上述した例におけると同様に配置された二つの係止タブ１１間に位置するように配置される。情報担持ユニット２８は、包装容器から情報担持ユニットの完全引き抜きを阻止するために、係止タブ１１または切欠き２７と相互作用するように配置されたラグ２９（図１８参照）を有する。これは、包装容器が情報を提供する製品を収容する場合に、有利であり、かつ同様に、製品の第一開放後に製品と共に情報を保存するより良い可能性を提供する。ルーズリーフ情報等は包装容器からの取り外しを容易にし、かかる場合、情報は将来の使用に利用できず、このことは使用間隔が長い場合または使用者が異なる場合に特に適切でない。
【００４６】
図１８から理解されるように、情報担持ユニット２８は、インサート３の引き抜き位置において、ブリスタパック１８を露出させるために、包装容器のスリーブへ押すことができるように配置される。かかる配置は、使用者が製品の取り出しを望む場合に、情報担持ユニット２８が使用者に提示され、その後に製品へのアクセスを容易にするためにそれをスリーブへ押し込むことができることを意味する。インサート３の挿入方向への係止タブ１１の折り畳みはこのことを促進する。選択的に、ブリスタパック１８は同様にしてインサート３に対して移動するように配置されてよい。
【００４７】
特定形態において、スリーブ内の切欠き７（図１参照）は相互に対して所定距離のところに配置されていて、二つの切欠き７に同時に到達するために同じ手の二本の指を相互から充分に遠くへ離すことができる人にのみ二つの係止タブ１１の同時押し下げが可能なように配置される。子供の手は、通常、大人の手よりも小さいので、この配置は包装容器内の製品への子供によるアクセスは、切欠き７への同時的押し下げ作用を子供が理解したとしても制限される。しかし、容器を開放するために包装容器上の二カ所に同時的操作を必要とすることは、小さい子供が包装容器の内容物に到達する困難性を相当に増大する。にもかかわらず、包装容器は単一係止タブ、および単一掛けタブ１０を有するものであってよく、協働作業がインサートを引き抜くために必要とされないように構成されてよい。
【図面の簡単な説明】
【図１】
本発明の実施形態による包装容器の斜視図を示す。
【図２】
図１の包装容器の一部完成部の斜視図を示す。
【図３】
図２の完成部の製造ブランクの平面図を示す。
【図４】
図１の包装容器の一部完成部の斜視図を示す。
【図５】
図４の完成部の製造ブランクの平面図を示す。
【図６】
理解のために一部開放した状態の図１の包装容器の斜視図を示す。
【図７】
本発明の実施形態による図１の包装容器の一部の平面図を示す。
【図８】
図７の包装容器の一部の側面図を示す。
【図９】
図４の完成部と図７の一部の斜視図を示す。
【図１０】
本発明の他の実施形態による包装容器の斜視図を示す。
【図１１】
図１０の包装容器の一部の製造ブランクの平面図を示す。
【図１２】
図１０の包装容器の一部の斜視図を示す。
【図１３】
図１０の包装容器の一部の切り取り図を示す。
【図１４】
図１０の包装容器の一部の平面図を示す。
【図１５】
図１０の包装容器の一部の側面図を示す。
【図１６】
本発明の他の実施形態による包装容器の一部の斜視図を示す。
【図１７】
本発明の他の実施形態による包装容器の一部の斜視図を示す。
【図１８】
本発明の他の実施形態による包装容器の一部の斜視図を示す。
【国際公開パンフレット】
2004513035.tif 000003
2004513035.tif 000004
2004513035.tif 000005
2004513035.tif 000006
2004513035.tif 000007
2004513035.tif 000008
2004513035.tif 000009
2004513035.tif 000010
2004513035.tif 000011
2004513035.tif 000012
2004513035.tif 000013
2004513035.tif 000014
2004513035.tif 000015
2004513035.tif 000016
2004513035.tif 000017
2004513035.tif 000018
2004513035.tif 000019
2004513035.tif 000020
2004513035.tif 000021
2004513035.tif 000022
2004513035.tif 000023
2004513035.tif 000024
2004513035.tif 000025
2004513035.tif 000026
【国際調査報告】
2004513035.tif 000027
2004513035.tif 000028
2004513035.tif 000029
2004513035.tif 000030